(57)【要約】【課題】壁面に配管の貫通孔を正確な位置にあけることができる配管封止栓を提供する。【解決手段】  配管の開放端部を封止する栓であって、栓に磁石が取り付けられた若しくは磁性を帯びている配管封止栓１によって解決される。  施工は、建物の壁面に配置される配管の開放端部を封止する栓であって、前記栓に磁石が配設された若しくは栓が磁性を帯びている配管封止栓１を用い、配管の開放端部に配管封止栓１を取り付ける工程と、配管封止栓前に壁面６を施工する工程と、建物の壁面に磁力探知機７を当て、該配管封止栓１の位置を特定する工程と、前工程で特定した箇所を穿孔し配管貫通孔８を建物の壁面６に開ける工程とからなる。【選択図】    図１
2010101461.tif 000002
【特許請求の範囲】
【請求項１】
配管の開放端部を封止する栓であって、栓に磁石が備えられたことを特徴とする配管封止栓。
【請求項２】
配管の開放端部を封止する栓であって、栓が磁性を帯びていることを特徴とする配管封止栓。
【請求項３】
建物の壁体内に配置される配管の開放端部を封止する栓であって、前記栓に磁石が備えられた配設された若しくは栓が磁性を帯びている配管封止栓を用い、
配管の開放端部に配管封止栓を取り付ける工程と、
配管封止栓前に壁面を施工する工程と、
建物の壁面に磁力探知機をあて、該配管封止栓の位置を特定する工程と、
前工程で特定した箇所を穿孔し配管貫通孔を壁面に開ける工程、
とからなることを特徴とする壁面の配管貫通孔の施工方法。  
【発明の詳細な説明】
【技術分野】
【０００１】
本発明は、配管の開放端部を防護する配管封止栓に関する。
【背景技術】
【０００２】
建物の衛生器具廻りの配管の接続では、室内にある衛生器具の配管と壁体内にある配管とが接続される。
【０００３】
その際、壁面に配管を通すための孔をあける必要があるが、施工時に配管内にゴミなどが入ることを防ぐため、配管の開放端部に図４に示す保護キャップが取り付けられる。この保護キャップは配管の保護だけでなく、水道などの配管状況の確認を行う際の封止栓としての機能も有する。
【０００４】
【特許文献１】特開２００５−２９９７４０号公報
【発明の開示】
【発明が解決しようとする課題】
【０００５】
配管の施工は一般に、壁面内に配置される配管の開放端部に止水栓を取り付けたのち、壁を施工し、壁の正面側より配管のおよその位置を特定して、配管用の貫通孔を開けるといった手順で行われている。
【０００６】
しかし、配管のおよその位置を特定して配管用の貫通孔をあけると正確な位置からずれて孔が開いてしまうことがあり、貫通孔の位置がずれた場合、配管貫通用の孔の保護キャップの大きさとの兼ね合いにより、止水栓の座金では貫通孔をきちんと隠すことができず、隙間を隠すためにコーキングをしたり、大きな座金を別途用意して取り付けたりしなければならなかった。
【０００７】
本発明は、以上のような問題点に鑑み、壁面に配管の貫通孔を正確な位置に開けることができる配管封止栓及びその施工方法を提供することを課題とする。
【課題を解決するための手段】
【０００８】
上記の課題は、配管の開放端部を封止する栓であって、栓に磁石が備えられた若しくは栓が磁性を帯びていることを特徴とする配管封止栓により解決される。
【０００９】
本配管封止栓では、配管の開放端部を封止する栓として、配管端部の保護、配管状況を確認するための封止栓として機能するだけでなく、封止栓に磁石が取り付けられた若しくは栓が磁性を帯びているため、配管施工時の壁面に配管貫通孔をあける際、壁面上に磁力探知機をあてるだけで、配管封止栓の位置を特定することができ、特定した位置を中心として孔をあけることで、配管封止栓を中心とした配管貫通孔を壁面にあけることができるので、配管の位置に正確に一致した配管貫通孔を壁面にあけることができる。
【００１０】
さらに、上記の課題は、建物の壁体内に配置される配管の開放端部を封止する栓であって、前記栓に磁石が備えられた若しくは栓が磁性を帯びている配管封止栓を用い、
配管の開放端部に配管封止栓を取り付ける工程と、
配管封止栓前に壁面を施工する工程と、
建物の壁面に磁力探知機をあて、該配管封止栓の位置を特定する工程と、
前工程で特定した箇所を穿孔し配管貫通孔を壁面に開ける工程、
とからなることを特徴とする壁面の配管貫通孔の施工方法
によっても解決される。
【発明の効果】
【００１１】
本発明は以上のとおりであるから、壁面に配管の貫通孔を正確な位置に開けることができる配管封止栓及びその施工方法を実現することができる。
【発明を実施するための最良の形態】
【００１２】
次に、本発明の実施最良形態を図面に基づいて説明する。
【００１３】
図１に示す配管封止栓１は、蓋部２と外周にねじが切られたねじ部３とからなる。配管封止栓１は、蓋部２側より有底の孔が穿孔され、孔には磁石４が備えられている。蓋部２は、平面視正六角形のプレートからなる。ねじ部３の径は封止する配管の径にあわせて選択される。
【００１４】
次に、図２に基づいて配管封止栓１を用いた配管貫通孔の施工方法について説明する。
【００１５】
図２（イ）に示すように建物の壁体内に配設された配管５の開放端部に配管封止栓１を固定する。配管５の端部内周面と配管封止栓１のねじ部３にはそれぞれねじが切られており、蓋部２の正六角形に適合する工具を用いて回転させることにより配管封止栓１を固定する。
【００１６】
図２（ロ）（ハ）に示すように、配管５の前面に内壁となる石膏ボード６を図示しない下地桟に固定したのち、石膏ボード６に貫通孔を開けるための位置を特定するため、磁力探知機７をあて、配管封止栓１の位置を特定する。配管封止栓１には磁石４が取り付けられているため、磁力探知機７が配管封止栓１に取り付けられた磁石４に反応し、配管封止栓１の位置が特定される。図２（ホ）に示すように、特定した配管封止栓１の位置を元に配管貫通孔８をあける。
【００１７】
ここで、特定した配管封止栓１の位置は磁力探知機７による誤差もあるため、配管貫通孔８の穿孔は次のようにしてもよい。図２（ニ）に示すように、磁力探知機７の結果により一旦仮孔９を穿孔する。仮孔９の径は、仮孔９を通じて配管封止栓１が確認できる大きさであればよい。
次に、図２（ホ）に示すように、仮孔８によって把握した配管封止栓１の位置をもとに正確な配管貫通孔８を空ける。
【００１８】
最後に図２（へ）（ホ）に示すように貫通孔１０から工具１１を挿入して配管封止栓１を取り外す。そして室内側配管１２を接続、座金１３を壁面際に固定する。
【００１９】
本配管封止栓では、配管の開放端部を封止する栓として、配管端部の保護、配管状況を確認するための封止栓として機能するだけでなく、封止栓に磁石が取り付けられた若しくは栓が磁性を帯びているため、配管施工時の壁面に配管貫通孔を開ける際、壁面上に磁力探知機をあてるだけで、配管封止栓の位置を特定することができ、特定した位置を中心として孔をあけることで、配管封止栓を中心とした配管貫通孔を壁面に開けることができるので、配管の位置に正確に一致した配管貫通孔を壁面に開けることができる。
室内側配管１２を接続した後、保護キャップを取り付けると配管貫通孔８は正確に覆い隠されるため、配管貫通孔８をずれて開けてしまった場合の補修が必要なく、コーキングや径の大きな座金への交換など行う必要がなく、手直しのない、すっきりとした仕上げとなる。
【００２０】
図３に示す他の実施形態において（イ）、（ロ）は、配管内へ埋め込むタイプの配管封止栓１５の側面図、正面図である。配管封止栓の一方の側には有底の孔が設けられ、その内部に磁石４が取り付けられている。管封止栓１１の取り付けは配管封止栓１５に磁石４が埋め込まれる孔より外部側に穿孔された有低の平面視六角形をした孔１６を利用して六角レンチにより取り付けられる。
【００２１】
以上に、本発明の実施形態を示したが、本発明はこれに限られるものではなく、発明思想を逸脱しない範囲で各種の変更が可能である。例えば、上記の実施形態について配管封止栓に磁石を取り付けた場合について示したが、配管封止栓自体が磁性を帯びており、磁力探知機に反応するものであれば、磁石を取り付ける必要はない。
【００２２】
また、上記実施形態では、壁面内に設けられた配管を石膏ボードに配管貫通孔を開け、室内側の配管と接続する場合について示したが、外壁パネルに配管貫通孔を開け、屋外の配管と接続する場合に適用してもよいのはいうまでもない。
【図面の簡単な説明】
【００２３】
【図１】本発明の実施形態を示す図であって、（イ）は側面図、（ロ）は正面図である。
【図２】（イ）〜（ト）は配管封止栓の施工方法を説明する側面図である。
【図３】本発明の他の実施形態を示す図であって、（イ）は側面図、（ロ）は正面図である。
【図４】従来の配管封止栓を示す側面図である。
【符号の説明】
【００２４】
１，１５・・・配管封止栓
２・・・蓋部
３・・・ねじ部
４・・・磁石
５・・・配管（給水管）
６・・・石膏ボード
７・・・磁力探知機
８・・・配管貫通孔
９・・・仮孔
【図１】
2010101461.tif 000003
【図２】
2010101461.tif 000004
【図３】
2010101461.tif 000005
【図４】
2010101461.tif 000006